(57)【特許請求の範囲】
【請求項１】
人体頭部の一方側を被覆する第一の板部と、
前記人体頭部の他方側を被覆する第二の板部と、
前記第一の板部の一端部と前記第二の板部の一端部とが折曲自在に連結された連結部とを有する帽体本体部を備え、
前記第一の板部と前記第二の板部とが前記連結部を介して略折畳まれた形状となった扁平状態と、
該扁平状態よりも前記連結部の両端部が互いに接近し、前記第一の板部と前記第二の板部とが略板状から湾曲状態となり人体頭部に被れる形状となった展開状態とが形成可能に構成されて、
前記帽体本体部を展開状態に保持したロック状態とするロック機構を備えた折畳み式帽子用帽体であって、
前記ロック機構は、前記帽体本体部の内部側方に一対の脚部を有する支持部材を備え、
それぞれの前記脚部の下部側に係止部が設けられると共に、
前記帽体本体部の、前記係止部に対応する位置に被係止部が設けられ、
前記係止部と前記被係止部とが係止されると前記帽体本体部が前記展開状態となり、
前記係止部と前記被係止部との係止が解除されると、前記帽体本体部が前記展開状態から前記扁平状態となるように構成され、
前記脚部は、前記展開状態の前記帽体本体部の内部の一部に略沿って設けられる脚部本体部と、該脚部本体部に設けられた係止用部材とを備え、
該係止用部材は、
前記脚部本体部の下側に、前記係止部と、押圧力が加えられることで前記係止部の係止状態が解除される被押圧部が設けられたロック解除手段とを備えることを特徴とする折畳み式帽子用帽体。
【請求項２】
人体頭部の一方側を被覆する第一の板部と、
前記人体頭部の他方側を被覆する第二の板部と、
前記第一の板部の一端部と前記第二の板部の一端部とが折曲自在に連結された連結部とを有する帽体本体部を備え、
前記連結部は、折曲げ水平部と、この折曲げ水平部の両端からそれぞれ斜め下方に延びる折曲げ傾斜部とから形成され、
前記第一の板部と前記第二の板部とが前記連結部を介して略折畳まれた形状となった扁平状態と、
該扁平状態よりも前記連結部のそれぞれの前記折曲げ傾斜部が互いに接近し、前記第一の板部と前記第二の板部とが略板状から湾曲状態となり人体頭部に被れる形状となった展開状態とが形成可能に構成されて、
前記帽体本体部を展開状態に保持したロック状態とするロック機構を備えた折畳み式帽子用帽体であって、
前記ロック機構は、前記帽体本体部の内部側方に一対の脚部を有する支持部材を備え、
それぞれの前記脚部は、その下部が前記折曲げ傾斜部の下部と略対応する位置まで斜め下方に延長され、その下部に係止部が設けられると共に、
前記連結部の前記折曲げ傾斜部の、前記係止部に対応する下部に被係止部が設けられ、
前記係止部と前記被係止部とが係止されると前記帽体本体部が前記展開状態となり、
前記係止部と前記被係止部との係止が解除されると、前記帽体本体部が前記展開状態から前記扁平状態となるように構成されたことを特徴とする折畳み式帽子用帽体。
【請求項３】
人体頭部の一方側を被覆する第一の板部と、
前記人体頭部の他方側を被覆する第二の板部と、
前記第一の板部の一端部と前記第二の板部の一端部とが折曲自在に連結された連結部とを有する帽体本体部を備え、
前記第一の板部と前記第二の板部とが前記連結部を介して略折畳まれた形状となった扁平状態と、
該扁平状態よりも前記連結部の両端部が互いに接近し、前記第一の板部と前記第二の板部とが略板状から湾曲状態となり人体頭部に被れる形状となった展開状態とが形成可能に構成されて、
前記帽体本体部を展開状態に保持したロック状態とするロック機構を備えた折畳み式帽子用帽体であって、
前記ロック機構は、前記帽体本体部の内部側方に一対の脚部を有する支持部材を備え、
それぞれの前記脚部の下部側に係止部が設けられると共に、
前記帽体本体部の、前記係止部に対応する位置に被係止部が設けられ、
前記係止部と前記被係止部とが係止されると前記帽体本体部が前記展開状態となり、
前記係止部と前記被係止部との係止が解除されると、前記帽体本体部が前記展開状態から前記扁平状態となるように構成され、
前記連結部の折曲げ水平部に一対の貫通孔部が貫通形成される一方、前記支持部材の上方に、前記一対の貫通孔部のそれぞれに挿通されて外部に突出する一対の保持部が設けられ、これらの保持部にそれぞれ取り付けられる取付部材が設けられ、前記取付部材の幅方向大きさが前記一対の貫通孔部の幅方向大きさよりも大きく形成され、前記支持部材が前記一対の保持部にそれぞれ取り付けられた前記取付部材を介して前記帽体本体部に保持されるように構成されたことを特徴とする折畳み式帽子用帽体。
【請求項４】
前記ロック機構の前記支持部材は、前記帽体本体部の内部の一部に略沿った略アーチ状のフレーム形状の構成を有する支持部材本体部を備え、該支持部材本体部の側部に前記脚部が設けられたことを特徴とする請求項１乃至３のいずれか一項に記載の折畳み式帽子用帽体。
【請求項５】
前記係止部は凸部又は凹部として形成されると共に、前記被係止部には、前記係止部の凸部又は凹部に対応する凹部又は凸部が形成され、前記係止部の前記凸部と前記被係止部の前記凹部とが係止されることで、又は、前記係止部の前記凹部と前記被係止部の前記凸部とが係止されることで、前記係止部が前記被係止部に係止されることを特徴とする請求項１乃至４のいずれか一項に記載の折畳み式帽子用帽体。
【請求項６】
前記係止部と前記被係止部とは、前記展開状態の前記帽体本体部の前記第一の板部と前記第二の板部とが扁平状態となる方向に押圧力が加わった場合、前記係止部の前記凹部と該係止部に係止された前記被係止部の前記凸部との係止が、又は、前記係止部の前記凸部と該係止部に係止された前記被係止部の前記凹部との係止が、押圧力が加えられることで前記係止部の係止状態が解除される被押圧部が設けられたロック解除手段の操作によらずに解除されるように構成されたことを特徴とする請求項５に記載の折畳み式帽子用帽体。
【発明の詳細な説明】
【技術分野】
【０００１】
本発明は、使用時は人体頭部に被ることのできる展開状態となり、不使用時は折畳んだ扁平状態となるように構成された、例えば折畳み式の防災用ヘルメット等の折畳み式帽子に用いられる折畳み式帽子用帽体に関する。
【背景技術】
【０００２】
従来、使用時は人体頭部に被ることのできる展開状態となり、不使用時は略折畳んだ扁平状態となるように構成された、例えば防災用ヘルメット等としての折畳み式帽子が知られている。この折畳み式帽子は、特許文献１に記載されているものがあった（以下、本項目の符号は特許文献１の符号を示す。）。
【０００３】
特許文献１に記載された折畳み式帽子は、枠体０１に対し、頂部面板０８、左側面板体下部材０４、左側面板体上部材０５、右側面板体下部材０６、右側面板体上部材０７からなる部材が、それぞれ同軸回転軸１２で回動自在に連結され、その外周部に前面板体０２、後面板体０３、左側面板体０９、右側面板体１０が取り付けられて帽体本体部を形成する構成となっている。そして、帽体本体部が人体頭部に被れる形状の帽子状態となっているときに、頂部面板０８を引き上げて、前面板体０２、後面板体０３、左側面板体０９、右側面板体１０を取り外したのち、左側面板体下部材０４、左側面板体上部材０５、右側面板体下部材０６、右側面板体上部材０７を同軸回転軸１２を回動させて折畳むと、帽体本体部は、略板状に折畳まれた状態となる。
【先行技術文献】
【特許文献】
【０００４】
【特許文献１】特開２００５−２３２６６３号公報
【発明の概要】
【発明が解決しようとする課題】
【０００５】
しかしながら、特許文献１に記載の発明においては、帽体本体部の展開状態を構成する際に、板状の頂部面板０８に、それぞれが頂部面板０８とは別部材の板状体で構成された前面板体０２、後面板体０３、左側面板体０９、右側面板体１０を取り付けて帽体形状を形成する。即ち、多数の別体の板状の部材を用いて帽体本体部が構成されることになる。そのため、特許文献１に記載の発明においては、部品点数が多くなり、製造工程が多くなって製造コストが高くなるという問題や、また、帽体本体部の剛性が低下して強度を十分に確保することも難しくなるという問題がある。また、上記特許文献１においては、扁平状態と展開状態との間で形状を変化させる際に、多くの別部材の部品を取り付けたり外したりしなければならず、形状を変化させるための操作が煩雑化するという問題がある。
【０００６】
本発明は上記の問題に鑑みてなされたものであり、少ない部品点数で構成でき、展開状態における剛性を確保して人体頭部を強固に守ることができ、簡易な操作で形状を変化させることができる折畳み式帽子用帽体を提供することを課題としている。
【課題を解決するための手段】
【０００７】
かかる課題を達成するために、請求項１に記載の発明は、人体頭部の一方側を被覆する第一の板部と、前記人体頭部の他方側を被覆する第二の板部と、前記第一の板部の一端部と前記第二の板部の一端部とが折曲自在に連結された連結部とを有する帽体本体部を備え、前記第一の板部と前記第二の板部とが前記連結部を介して略折畳まれた形状となった扁平状態と、該扁平状態よりも前記連結部の両端部が互いに接近し、前記第一の板部と前記第二の板部とが略板状から湾曲状態となり人体頭部に被れる形状となった展開状態とが形成可能に構成されて、前記帽体本体部を展開状態に保持したロック状態とするロック機構を備えた折畳み式帽子用帽体であって、前記ロック機構は、前記帽体本体部の内部側方に一対の脚部を有する支持部材を備え、それぞれの前記脚部の下部側に係止部が設けられると共に、前記帽体本体部の、前記係止部に対応する位置に被係止部が設けられ、前記係止部と前記被係止部とが係止されると前記帽体本体部が前記展開状態となり、前記係止部と前記被係止部との係止が解除されると、前記帽体本体部が前記展開状態から前記扁平状態となるように構成され、前記脚部は、前記展開状態の前記帽体本体部の内部の一部に略沿って設けられる脚部本体部と、該脚部本体部に設けられた係止用部材とを備え、該係止用部材は、前記脚部本体部の下側に、前記係止部と、押圧力が加えられることで前記係止部の係止状態が解除される被押圧部が設けられたロック解除手段とを備えることを特徴とする。
請求項２に記載の発明は、人体頭部の一方側を被覆する第一の板部と、前記人体頭部の他方側を被覆する第二の板部と、前記第一の板部の一端部と前記第二の板部の一端部とが折曲自在に連結された連結部とを有する帽体本体部を備え、前記連結部は、折曲げ水平部と、この折曲げ水平部の両端からそれぞれ斜め下方に延びる折曲げ傾斜部とから形成され、前記第一の板部と前記第二の板部とが前記連結部を介して略折畳まれた形状となった扁平状態と、該扁平状態よりも前記連結部のそれぞれの前記折曲げ傾斜部が互いに接近し、前記第一の板部と前記第二の板部とが略板状から湾曲状態となり人体頭部に被れる形状となった展開状態とが形成可能に構成されて、前記帽体本体部を展開状態に保持したロック状態とするロック機構を備えた折畳み式帽子用帽体であって、前記ロック機構は、前記帽体本体部の内部側方に一対の脚部を有する支持部材を備え、それぞれの前記脚部は、その下部が前記折曲げ傾斜部の下部と略対応する位置まで斜め下方に延長され、その下部に係止部が設けられると共に、前記連結部の前記折曲げ傾斜部の、前記係止部に対応する下部に被係止部が設けられ、前記係止部と前記被係止部とが係止されると前記帽体本体部が前記展開状態となり、前記係止部と前記被係止部との係止が解除されると、前記帽体本体部が前記展開状態から前記扁平状態となるように構成されたことを特徴とする。
請求項３に記載の発明は、人体頭部の一方側を被覆する第一の板部と、前記人体頭部の他方側を被覆する第二の板部と、前記第一の板部の一端部と前記第二の板部の一端部とが折曲自在に連結された連結部とを有する帽体本体部を備え、前記第一の板部と前記第二の板部とが前記連結部を介して略折畳まれた形状となった扁平状態と、該扁平状態よりも前記連結部の両端部が互いに接近し、前記第一の板部と前記第二の板部とが略板状から湾曲状態となり人体頭部に被れる形状となった展開状態とが形成可能に構成されて、前記帽体本体部を展開状態に保持したロック状態とするロック機構を備えた折畳み式帽子用帽体であって、前記ロック機構は、前記帽体本体部の内部側方に一対の脚部を有する支持部材を備え、それぞれの前記脚部の下部側に係止部が設けられると共に、前記帽体本体部の、前記係止部に対応する位置に被係止部が設けられ、前記係止部と前記被係止部とが係止されると前記帽体本体部が前記展開状態となり、前記係止部と前記被係止部との係止が解除されると、前記帽体本体部が前記展開状態から前記扁平状態となるように構成され、前記連結部の折曲げ水平部に一対の貫通孔部が貫通形成される一方、前記支持部材の上方に、前記一対の貫通孔部のそれぞれに挿通されて外部に突出する一対の保持部が設けられ、これらの保持部にそれぞれ取り付けられる取付部材が設けられ、前記取付部材の幅方向大きさが前記一対の貫通孔部の幅方向大きさよりも大きく形成され、前記支持部材が前記一対の保持部にそれぞれ取り付けられた前記取付部材を介して前記帽体本体部に保持されるように構成されたことを特徴とする。
【０００８】
請求項２に記載の発明は、請求項１乃至３のいずれか一項に記載の構成に加え、前記ロック機構の前記支持部材は、前記帽体本体部の内部の一部に略沿った略アーチ状のフレーム形状の構成を有する支持部材本体部を備え、該支持部材本体部の側部に前記脚部が設けられたことを特徴とする。
【００１０】
請求項５に記載の発明は、請求項１乃至４のいずれか一項に記載の構成に加え、前記係止部は凸部又は凹部として形成されると共に、前記被係止部には、前記係止部の凸部又は凹部に対応する凹部又は凸部が形成され、前記係止部の前記凸部と前記被係止部の前記凹部とが係止することで、又は、前記係止部の前記凹部と前記被係止部の前記凸部とが係止されることで、前記係止部が前記被係止部に係止されることを特徴とする。
【００１１】
請求項６に記載の発明は、請求項５に記載の構成に加え、前記係止部と前記被係止部とは、前記展開状態の前記帽体本体部の前記第一の板部と前記第二の板部とが扁平状態となる方向に押圧力が加わった場合、前記係止部の前記凹部と該係止部に係止された前記被係止部の前記凸部との係止が、又は、前記係止部の前記凸部と該係止部に係止された前記被係止部の前記凹部との係止が、押圧力が加えられることで前記係止部の係止状態が解除される被押圧部が設けられたロック解除手段の操作によらずに解除されるように構成されたことを特徴とする。
【発明の効果】
【００１２】
請求項１に記載の発明によれば、折畳み式帽子用帽体を、第一の板部と、第二の板部と、連結部と、ロック機構とを有する構成とすることにより、少ない部品点数で折畳み式帽子用帽体を構成できる。また、帽体本体部を展開状態に保持したロック状態とするロック機構が、帽体本体部の内部側方に一対の脚部を有する支持部材を備えたことにより、ロック機構を少ない部品点数で構成すると共に、脚部によって帽体本体部を支持することで、展開状態の折畳み式帽子用帽体全体の剛性を高め、外部側方から帽体本体部を押圧する押圧力に対する耐性を高めることができる。また、係止部と被係止部とが係止されると帽体本体部が展開状態となり、係止部と被係止部との係止が解除されると、帽体本体部が展開状態から扁平状態となるように構成されたことにより、帽体本体部の展開状態と扁平状態との間の形状変化を簡易な操作によって行わせることが可能となる。これにより、少ない部品点数で構成でき、展開状態における剛性を確保して人体頭部を強固に守ることができて、簡易な操作で形状を変化させることができる折畳み式帽子用帽体を提供することができる。
また、請求項１に記載の発明によれば、脚部は、展開状態の帽体本体部の内部の一部に略沿って設けられる脚部本体部と、この脚部本体部に設けられた係止用部材とを備え、係止用部材は、脚部本体部の下側に、係止部と、押圧力が加えられることで係止部の係止状態が解除される被押圧部が設けられたロック解除手段とを備えることにより、係止部と被係止部とを小さい力で係止させたり係止を解除させたりすることができ、また、係止部と被係止部とが係止された状態を強固に確保することができる。
請求項２に記載の発明によれば、ロック機構は、帽体本体部の内部側方に一対の脚部を有する支持部材を備え、それぞれの脚部は、その下部が折曲げ傾斜部の下部と略対応する位置まで斜め下方に延長され、その下部に係止部が設けられると共に、連結部の折曲げ傾斜部の、係止部に対応する下部に被係止部が設けられているので、係止部と被係止部とを一段と小さい力で係止させたり係止を解除させたりすることが可能となる。
請求項３に記載の発明によれば、支持部材が一対の保持部にそれぞれ取り付けられた取付部材を介して帽体本体部に保持されるように構成されているので、接着剤等による接着や、ビス等による結着を行うことなく、簡易な作業によって帽体本体部に支持部材を確実に固定することができる。
【００１３】
請求項４に記載の発明によれば、ロック機構の支持部材は、脚部を含めて帽体本体部の内部の一部に略沿った略アーチ状のフレーム形状の構成を有する支持部材本体部を備えたことにより、展開状態の帽体本体部の内部の一部に略沿って支持部材本体部を配設することができ、折畳み式帽子用帽体の一端部から頂部を経て他端部にわたって剛性を高めることが可能となる。これにより、少ない部品点数で構成でき、展開状態における剛性を確保して人体頭部を強固に守ることができる折畳み式帽子用帽体を提供することができる。
【００１５】
請求項５に記載の発明によれば、係止部と被係止部との係止状態を、一方に形成された凸部と他方に形成された凹部との係止によって行わせることにより、係止部と被係止部とを簡易な構成として形成すると共に、係止部と被係止部とを確実に係止させることができる。これにより、帽体本体部を展開状態で安定させることができる。
【００１６】
請求項６に記載の発明によれば、展開状態の帽体本体部に対して第一の板部と第二の板部とが扁平状態となる方向に押圧力が加わった場合、ロック解除手段の操作によらずに係止部の被係止部への係止を解除することができる。これにより、帽体本体部を展開状態で安定させると共に、使用者が誤った操作をした場合であっても、折畳み式帽子用帽体や、この折畳み式帽子用帽体を用いた折畳み式帽子の安全な使用を確保することができる。
【図面の簡単な説明】
【００１７】
【図１】この発明の実施の形態の折畳み式帽子用帽体の展開状態を底面方向から見た斜視図である。
【図２】同上折畳み式帽子用帽体の展開状態を平面方向から見た斜視図である。
【図３】同上折畳み式帽子用帽体の展開状態の左側面図である。
【図４】同上折畳み式帽子用帽体の折畳んだ状態の平面方向から見た斜視図である。
【図５】同上折畳み式帽子用帽体の帽体本体部と支持部材とを接続した部分の部分拡大図である。
【図６】同上折畳み式帽子用帽体の支持部材の斜視図である。
【図７】同上折畳み式帽子用帽体の支持部材の支持部材本体部の斜視図である。
【図８】同上折畳み式帽子用帽体の支持部材の係止用板状体の斜視図である。
【図９】同上折畳み式帽子用帽体の支持部材の係止用板状体の斜視図である。
【図１０】同上折畳み式帽子用帽体の折畳んだ状態の断面図である。
【図１１】同上折畳み式帽子用帽体の展開状態の断面図である。
【図１２】同上折畳み式帽子用帽体の折畳んだ状態の一部分を拡大した断面図である。
【図１３】同上折畳み式帽子用帽体の折畳んだ状態と展開状態との移行時における一部分を拡大した断面図である。
【図１４】同上折畳み式帽子用帽体の折畳んだ状態と展開状態との移行時における一部分を拡大した断面図である。
【図１５】同上折畳み式帽子用帽体の折畳んだ状態における一部分を拡大した断面図である。
【発明を実施するための形態】
【００１８】
以下、この発明の一の実施の形態について図面を参照して説明する。
【００１９】
図１乃至図１５は、この発明の実施の形態を示す。
【００２０】
まず、構成を簡単に説明すると、図１乃至図４に示す、この実施の形態の折畳み式帽子用帽体１０は、災害時用に用いられる折畳み式帽子に用いられるものである。なお、この折畳み式帽子用帽体１０は、内装材（人体頭部に接触するハンモックやヘッドバンド、及び顎紐等）が設けられた折畳み式帽子として使用される。
【００２１】
図１に示す通り、この実施の形態の折畳み式帽子用帽体１０は、帽体本体部１１と、この帽体本体部１１を人体頭部に被れる形状である展開状態に保持したロック状態とさせるロック機構１２とを備え、展開状態と、折畳まれた形状となった扁平状態とをそれぞれ形成することができる。そして、ロック機構１２は、所定の操作によりロック状態を解除する「ロック解除手段」としての係止解除用被押圧部１３を備えると共に、帽体本体部１１を扁平状態とする方向に押圧力が加わった場合、係止解除用被押圧部１３の操作によらずにロック機構１２のロック状態が解除するように構成されている。ただし、後述するように、この実施の形態においては、ロック機構１２のうち、被係止部２０は帽体本体部１１を備える構成となっている。
【００２２】
図１乃至図４に示す折畳み式帽子用帽体１０の帽体本体部１１は、ポリプロピレン等、剛性が高く、かつ折り曲げに対する強度が高い樹脂により一体成形されている。
【００２３】
この帽体本体部１１は、一枚の板状の前頭被覆用の「第一の板部」としての前側平板１４と、一枚の板状の後頭被覆用の「第二の板部」としての後側平板１５とを有している。前側平板１４と後側平板１５とは、略平板形状となった状態で形状が安定するように形成されている。
【００２４】
図４に示すように、前側平板１４は、正面視略台形に形成された前側平板本体部１４ａｘ、正面視略三角形に形成された左側平板本体部１４ａｙ、及び右側平板本体部１４ａｚを備えている。また、前側平板本体部１４ａｘと左側平板本体部１４ａｙとの間には長手方向（図４における上下方向）に沿って帯状の第一ヒンジ部１４ｂｘが、前側平板本体部１４ａｘと右側平板本体部１４ａｚとの間には長手方向に沿って略帯状の第二ヒンジ部１４ｂｙをそれぞれ備えている。
【００２５】
同様に、後側平板１５は、図１に示す通り、正面視略台形に形成された後側平板本体部１５ａｘ、正面視略三角形に形成された左側平板本体部１５ａｙ及び右側平板本体部１５ａｚを備えている。また、後側平板本体部１５ａｘと左側平板本体部１５ａｙとの間には長手方向に沿って帯状の第三ヒンジ部１５ｂｘが、後側平板本体部１５ａｘと右側平板本体部１４ａｚとの間には長手方向に沿って略帯状の第四ヒンジ部１５ｂｙをそれぞれ備えている。
【００２６】
図１及び図４に示す通り、帽体本体部１１を展開した状態で人体頭部に被れる形状である展開状態（以下単に「展開状態」と称する。）としたときに、前側平板１４及び後側平板１５が湾曲状態となる。具体的には、帽体本体部１１の展開状態において、前側平板１４の各平板本体部１４ａｘ，１４ａｙ，１４ａｚ、後側平板１５の各平板本体部１５ａｘ，１５ａｙ，１５ａｚのそれぞれは、第一〜第四ヒンジ部１４ｂｘ，１４ｂｙ，１５ｂｘ，１５ｂｙから折り曲げられるようになっている。前側平板１４及び後側平板１５が湾曲状態となったとき、前側平板１４の各平板本体部１４ａｘ，１４ａｙ，１４ａｚのそれぞれ、及び、後側平板１５の各平板本体部１５ａｘ，１５ａｙ，１５ａｚのそれぞれは、略平板形状の状態のままである。これにより、展開状態の形成を支障なく行いつつ、頭部の略全域を剛性の高い各平板本体部１４ａｘ，１４ａｙ，１４ａｚ，１５ａｘ，１５ａｙ，１５ａｚで覆うことで落下物等の衝撃から頭部を確実に保護できるようになっている。
【００２７】
前側平板１４の前側平板本体部１４ａｘ、左側平板本体部１４ａｙ、右側平板本体部１４ａｚは板厚が厚く（例えば２．５ｍｍ程度）、剛性が確保されている。一方、第一ヒンジ部１４ｂｘ、第二ヒンジ部１４ｂｙは各平板本体部１４ａｘ，１４ａｙ，１４ａｚよりも板厚が薄く（例えば０．８ｍｍ程度）、折り曲げにより容易に弾性変形するように形成されている。同様に、後側平板１５の後側平板本体部１５ａｘ，左側平板本体部１５ａｙ、右側平板本体部１５ａｚは板厚が厚く形成されて剛性が確保され、一方、第三ヒンジ部１５ｂｘ、第四ヒンジ部１５ｂｙは折り曲げにより容易に弾性変形するように前記各平板本体部１５ａｘ，１５ａｙ，１５ａｚよりも板厚が薄く、折り曲げにより容易に弾性変形するように形成されている。即ち、図４に示すように、前側平板本体部１４ａｘ、左側平板本体部１４ａｙ、右側平板本体部１４ａｚは第一ヒンジ部１４ｂｘ、第二ヒンジ部１４ｂｙで折り曲げられ、また、後側平板本体部１５ａｘ，左側平板本体部１５ａｙ、右側平板本体部１５ａｚは第三ヒンジ部１５ｂｘ、第四ヒンジ部１５ｂｙで折曲げられて、帽体本体部１１の展開状態が形成される。そして、展開状態において、前側平板１４が人体頭部の「一方側」としての前側を被覆し、後側平板１５が人体頭部の「他方側」としての後側を被覆する。
【００２８】
図４に示す通り、前側平板１４の後辺部１４ｃは、正面視の状態で水平状の中央縁１４ｃｘと該中央縁１４ｃｘの左右両側に連設された外側端下がりの傾斜縁１４ｃｙ，１４ｃｚとを有している。又、同様に、図１及び図４に示す後側平板１５の図４に示す前辺部１５ｃは、正面視の状態で、水平状の中央縁１５ｃｘと、中央縁１５ｃｘの左右両側に連設された外側端下がりの傾斜縁１５ｃｙ,１５ｃｚとを有している。
【００２９】
そして、図２乃至図５に示す通り、前側平板１４の後辺部１４ｃと後側平板１５の前辺部１５ｃとは、後述する連結部１７に連結されている。なお、図２に示す通り、前側平板１４の中央縁１４ｃｘ及び後側平板１５の中央縁１５ｃｘは、水平状にされているが、緩やかなカーブ状にすることができるし、同様に、前側平板１４の前記傾斜縁１４ｃｙ，１４ｃｚ及び後側平板１５の傾斜縁１５ｃｙ,１５ｃｚを緩やかなカーブ状にすることができる。
【００３０】
図１に示す通り、左側平板本体部１４ａｙ、右側平板本体部１４ａｚ、左側平板本体部１５ａｙ、右側平板本体部１５ａｚには、それぞれリベット挿通孔１６，１６，１６，１６が設けられている。このリベット挿通孔１６は、折畳み式帽子用帽体１０の内部に、使用者の頭部に固定するためのハンモック（図示せず）等の内装物を配設する際にリベット（図示せず）を挿通させるために用いられる。
【００３１】
図２、図３、図４等に示すように、連結部１７は、平面視において略帯状に形成されている。連結部１７は、前側側縁部１７ａａにおいて前側平板１４に接続され、後側側縁部１７ｂｂにおいて後側平板１５に接続されて、前側平板１４と後側平板１５とを折曲自在に連結している。
【００３２】
図２、図３、図１０、図１１等に示すように、連結部１７には、折曲げ水平部１７ａと、折曲げ水平部１７ａの両端から連続する左側折曲げ傾斜部１７ｂ及び右側折曲げ傾斜部１７ｃとが形成されている。折曲げ水平部１７ａは、帽体本体部１１を展開状態にして使用者が被った際、使用者の頭頂部近傍に対面する部位である。左側折曲げ傾斜部１７ｂ及び右側折曲げ傾斜部１７ｃは、帽体本体部１１を展開状態にして使用者が被った際、使用者の側頭の近傍に対面する部位である。
【００３３】
図２、図４に示すように、連結部１７の頂部すなわち折曲げ水平部１７ａには、一対の貫通孔部１８，１８が貫通形成されている。それぞれの貫通孔部１８は、略矩形に形成され、幅方向大きさは連結部１７の幅方向大きさよりも小さく形成されている。これらの貫通孔部１８，１８には、帽体本体部１１の内部に支持部材２１が配設されたときに、支持部材２１のバックル保持部２４，２４（図６及び図７参照）が挿通されて、図５に示すように、バックル保持部２４が帽体本体部１１の外部に突出した状態となる。
【００３４】
図２乃至図４に示すように、連結部１７の側部の下部側にあたる左側折曲げ傾斜部１７ｂの下部側及び右側折曲げ傾斜部１７ｃの下部側には、それぞれ帽体被押圧部１９が設けられている。帽体被押圧部１９は、剛性の高い樹脂例えばナイロン等によって形成されている。帽体被押圧部１９は、連結部１７と略同一幅の帯状に形成されて、左側折曲げ傾斜部１７ｂ及び右側折曲げ傾斜部１７ｃの下部側略全面に接着されている。
【００３５】
図１０乃至図１５に示すように、帽体被押圧部１９の下端部には、ロック機構１２の一部を構成する被係止部２０が一体に形成されている。被係止部２０は、前後方向（図１における前後方向）に連続した断面略円柱状の凸部となるように形成されている。図１に示す通り、この被係止部２０は、連結部１７よりも下方に突出しており、被係止部２０の凸部形状は、係止部２８（後述）の凹部形状に対応する形状及び大きさに形成されている。図１１及び図１５に示すように、帽体本体部１１が展開状態となったときに係止部２８が係止する。
【００３６】
図１に示す通り、帽体本体部１１の内部にはロック機構１２の一部を構成する支持部材２１が配設されている。
【００３７】
図６に示すように、支持部材２１の支持部材本体部２２は、水平状の上方支持部２２ａｘと、上方支持部２２ａｘの左右両側に連設された外側端下がりの一対の「脚部」としての側方支持部２２ｙ,２２ｚとを有している。側方支持部２２ｙ,２２ｚは、「脚部本体部」としての側方支持部本体部２２ａｙ,２２ａｚと、「係止用部材」としての一対の係止用板状体２３，２３とを有している。図７に示すように、上方支持部２２ａｘと、側方支持部本体部２２ａｙ,２２ａｚとは、ナイロン等の硬質の樹脂にて一体形成されたフレーム部材２２ａを構成する。
【００３８】
そして、図７に示すように、支持部材本体部２２のフレーム部材２２ａは、人体頭部の頂部から両側部の一部に略沿った略アーチ状のフレーム形状に形成されている。具体的には、図７に示す、フレーム部材２２ａの幅方向大きさＷ３は、図４に示す、帽体本体部１１の連結部１７の幅方向大きさＷ４に略等しく形成されている。また、図１に示すように、フレーム部材２２ａの上方支持部２２ａｘと側方支持部本体部２２ａｙ,２２ａｚの形状は、帽体本体部１１を展開状態にしたときの連結部１７の部分の内部側の形状に略一致している。これにより、帽体本体部１１を展開状態にしたときには、帽体本体部１１の連結部１７は支持部材本体部２２のフレーム部材２２ａに略沿った形状に形成されて、折畳み式帽子用帽体１０を人体頭部に被せたときは、フレーム部材２２ａはこの人体頭部の頂部から両側部にかけての位置に対向して配設される。但し、フレーム部材２２ａの略アーチ状の形状は、この形状のみに限らず、人体頭部の一部を被覆できる形状であればどのような形状（例えば略半円状等）であってもよい。
【００３９】
図６に示す通り、フレーム部材２２ａの上方支持部２２ａｘの下側には、一対の把持用突起部２２ｂ，２２ｂが内側に向けて突設されている。この把持用突起部２２ｂ，２２ｂと上方支持部２２ａｘとの間には、発泡スチロール等の柔軟性のある部材で形成された衝撃吸収用部材（図示せず）が把持される。
【００４０】
図６に示す通り、フレーム部材２２ａの上方支持部２２ａｘの上側には、「保持部」としての一対のバックル保持部２４，２４が設けられている。それぞれのバックル保持部２４は正面視略Ｌ字状に形成され、上方に突設されると共に先端が内側に向けて配設され、それぞれの先端が対向するように設けられている。
【００４１】
また、図６に示す通り、フレーム部材２２ａのそれぞれの側方支持部本体部２２ａｙ,２２ａｚの外側の下部には、溝状の軸受部２５，２５が形成されている。それぞれの軸受部２５には、係止用板状体２３の回動軸２６が軸支される。これにより、図６に示すように、係止用板状体２３は、回動軸２６を中心に外側方向（同図の矢印Ｍ１方向）及び内側方向（同図の矢印Ｍ２方向）に回動する。
【００４２】
図８及び図９に示す、この実施の形態の支持部材本体部２２及び側方支持部２２ｙ,２２ｚを構成する係止用板状体２３は、ナイロン等の硬質の樹脂にて一体に形成されている。図８及び図９に示す通り、この係止用板状体２３は、縦長に形成され、正面側（図８における正面側）の上側（図８における上側）から略中央部にかけては略平面形状の圧接部２７が形成されている。圧接部２７の下端は略溝状に陥没すると共にその下方は正面方向に突出して、略凹部となった係止部２８が形成されている。この係止部２８の下方には、圧接部２７よりも正面方向に突出して回動軸２６の外周部の一部に略沿った係止解除用被押圧部１３が形成されている。
【００４３】
図９に示す通り、係止用板状体２３の背面側（図９における正面側）の略中央部であって、正面側の係止部２８よりもやや上方に位置して、左右方向（図９における左右方向）に連続した略円柱状の回動軸２６が形成されている。
【００４４】
図４、図５に示す通り、帽体本体部１１のそれぞれの貫通孔部１８，１８から外部に突出した支持部材２１のバックル保持部２４，２４には、「取付部材」としてのバックル２９，２９がそれぞれ嵌合される。それぞれのバックル２９は、ナイロンのような剛性の高い樹脂にて形成されて、正面視略矩形の環状に形成されている。図５に示す、バックル２９の幅方向大きさＷ１は、連結部１７の幅方向大きさＷ４（図４参照）に略等しく形成されている。また、図５に示す通り、バックル２９の幅方向大きさＷ１は貫通孔部１８の幅方向大きさＷ２よりも大きく形成されている。
【００４５】
図４に示す通り、それぞれのバックル２９には、リボン部材３０が連結されている。即ち、図４及び図５に示すように、リボン部材３０の両端部にはバックル２９，２９が連結された状態となっている。
【００４６】
次に、この実施の形態の折畳み式帽子用帽体１０の組立手順について説明する。
【００４７】
まず、この実施の形態の折畳み式帽子用帽体１０を使用する際は、帽体本体部１１の内側に支持部材２１を配設する。具体的には、図１及び図１０に示すように、帽体本体部１１の内側に、連結部１７に沿って、支持部材本体部２２を、フレーム部材２２ａの上方支持部２２ａｘが上側に、側方支持部本体部２２ａｙ,２２ａｚがその下側に位置するように配設する。この状態で、図５及び図１０に示すように、フレーム部材２２ａのバックル保持部２４，２４がそれぞれ貫通孔部１８，１８に挿通されて外部に突出した状態とされる。
【００４８】
この状態で、図５に示すように、バックル保持部２４にはバックル２９が嵌合される。図５に示すように、バックル２９の幅方向大きさＷ１は貫通孔部１８の幅方向大きさＷ２よりも大きいので、バックル保持部２４に嵌合されたバックル２９によって支持部材２１は帽体本体部１１から脱落することなく、帽体本体部１１に固着された状態となる。即ち、この実施の形態の折畳み式帽子用帽体１０は、接着剤等による接着や、ビス等による結着を行うことなく、簡易な作業によって帽体本体部１１に支持部材２１を確実に固定することができる。
【００４９】
そして、図１及び図１０に示すように、支持部材２１のフレーム部材２２ａは帽体本体部１１の内部の連結部１７に対向する位置に固着される。
【００５０】
そして、それぞれのバックル２９，２９にリボン部材３０の両端部を連結させる。これにより、折畳み式帽子用帽体１０はリボン部材３０を把持して持ち運んだり、リボン部材３０を机や壁面に設けられたフック部材（図示せず）等に引っ掛けたりすることで、折畳み式帽子用帽体１０を用いた折畳み式帽子（図示せず）等を収容できる。
【００５１】
そして、折畳み式帽子用帽体１０を用いた折畳み式帽子（図示せず）を使用する際は、把持用突起部２２ｂ，２２ｂに衝撃吸収用部材（図示せず）を把持させる。さらに、帽体本体部１１の内部にハンモック（図示せず）やヘッドバンド（図示せず）を取り付けて、リベット挿通孔１６，１６，１６，１６にリベット（図示せず）を用いてこれらのハンモック（図示せず）やヘッドバンド（図示せず）を取り付ける。これにより、折畳み式帽子用帽体１０の組立が完成する。
【００５２】
次に、この実施の形態の折畳み式帽子用帽体１０の使用方法について説明する。
【００５３】
まず、折畳み式帽子用帽体１０を扁平状態から展開状態にする場合を説明する。
【００５４】
この場合、折畳み式帽子用帽体１０の使用者は、帽体本体部１１のそれぞれの帽体被押圧部１９，１９に掌を当接させ、帽体被押圧部１９，１９の位置を幅方向に押し縮める方向に両手で押圧する。すると、図１２に示すように、それぞれの帽体被押圧部１９，１９には、左側折曲げ傾斜部１７ｂと右側折曲げ傾斜部１７ｃとを接近させる方向に力Ｐ１，Ｐ１が加わる。これにより、前側平板１４は第一ヒンジ部１４ｂｘ、第二ヒンジ部１４ｂｙが弾性変形して折れ曲がり、後側平板１５は第三ヒンジ部１５ｂｘ、第四ヒンジ部１５ｂｙが弾性変形して折れ曲がり、左側折曲げ傾斜部１７ｂと右側折曲げ傾斜部１７ｃとが近接する方向に、帽体本体部１１が変形し、図１１に示す状態から図１２に示す状態に移行する。
【００５５】
そして、使用者がさらに帽体被押圧部１９，１９を押圧すると、力Ｐ１の作用によって帽体本体部１１はさらに変形し、図１３に示すように、支持部材２１の係止用板状体２３の圧接部２７が連結部１７の内側に当接する。
【００５６】
この状態から、さらに使用者が帽体被押圧部１９，１９に力Ｐ１を加えて押圧すると、図１４に示すように帽体本体部１１がさらに変形し、圧接部２７が連結部１７の内側に圧接される。すると、図１４に示すように、係止用板状体２３は、連結部１７から圧接部２７に加わった力によって回動軸２６を中心に同図の矢印Ｍ１方向に回動しながら、係止部２８が被係止部２０に当接する。
【００５７】
さらに使用者が帽体被押圧部１９，１９を押圧すると、係止用板状体２３は、圧接部２７に加わった力によってさらに回動しながら、係止部２８が被係止部２０に圧接される。そして、この状態で、帽体被押圧部１９，１９に加わった力が所定の大きさを超えると、係止部２８は、被係止部２０の凸状の部分の部分を乗り越え、被係止部２０と係止部２８の凹凸が嵌合した状態となって、係止部２８が被係止部２０に係止される。
【００５８】
即ち、この実施の形態においては、フレーム部材２２ａに回動自在に軸支された係止用板状体２３が矢印Ｍ１方向に回動しながら、係止部２８が被係止部２０を乗り越えて係止されるので、係止部２８がフレーム部材２２ａに直接設けられている場合に比べ、係止部２８が被係止部２０を乗り越える際に使用者が帽体被押圧部１９に加える力が小さくて済む。これにより、帽体本体部１１を展開状態にする際の操作性を良好にすることができる。
【００５９】
また、帽体本体部１１が展開状態になったときは、係止用板状体２３の圧接部２７に対し、連結部１７から、図１５に示す内側方向の力Ｐ３が加わった状態となる。つまり、回動軸２６の上側に加わった力Ｐ３と、回動軸２６の下側の係止部２８に対して被係止部２０から加わった内側方向の力により、係止部２８と被係止部２０とは強固に係止された状態が確保される。これにより、帽体本体部１１の展開状態は強固な状態が確保される。
【００６０】
また、帽体本体部１１の内側の連結部１７に沿って、フレーム部材２２ａを形成する上方支持部２２ａｘと、側方支持部本体部２２ａｙ,２２ａｚとが配設されることにより、帽体本体部１１の内側がフレーム部材２２ａによって支持されることとなる。フレーム部材２２ａは略アーチ状のフレーム形状に形成され、帽体本体部１１と同様に人体頭部の一部の周囲に配設され、帽体本体部１１の剛性を補強する態様となる。これにより、折畳み式帽子用帽体１０の剛性をより強固にすることができる。さらに、折畳み式帽子用帽体１０に必要とされる剛性の多くをフレーム部材２２ａによって確保できるので、帽体本体部１１を弾性のある部材等で形成することが可能となり、帽体本体部１１を構成する前側平板１４や後側平板１５を弾性のある板材で構成し、弾性変形させながら帽体本体部１１の展開状態を形成することが容易になる。また、帽体本体部１１を構成する前側平板１４や後側平板１５等を板厚の薄い板材で形成できて、コストの低減を図ることが容易になる。
【００６１】
次に、折畳み式帽子用帽体１０を展開状態から扁平状態にする場合を説明する。
【００６２】
図１１に示すように、折畳み式帽子用帽体１０が展開状態のときに、使用者が係止解除用被押圧部１３を押圧すると、図１５に示すように、係止用板状体２３が回動軸２６を中心に回動し、図１３に示すように、係止解除用被押圧部１３には力Ｐ２が加わる。この力Ｐ２により、係止用板状体２３は回動軸２６を中心に回動しながら、係止部２８と被係止部２０との係止状態が次第に解除されていく。
【００６３】
そして、使用者が係止用板状体２３に矢印Ｍ２方向に所定以上の力を加えると、係止用板状体２３がさらに矢印Ｍ２方向に回動し、図１４に示すように、係止部２８と被係止部２０との係止状態が解除される。
【００６４】
すると、前側平板１４と後側平板１５とは弾性力によって第一〜第四ヒンジ部１４ｂｘ，１４ｂｙ，１５ｂｘ，１５ｂｙが折れ曲がった状態から平板状態へと形状が変化してゆく。そして、係止用板状体２３の側方支持部２２ｙ，２２ｚと連結部１７の左側折曲げ傾斜部１７ｂ、右側折曲げ傾斜部１７ｃとは次第に離間する。そして、図１３に示す状態、さらに図１２に示す状態に形状が変化し、図９に示すように、帽体本体部１１は扁平状態となる。
【００６５】
さらに、折畳み式帽子用帽体１０の帽体本体部１１が展開状態のときに使用者が扁平状態となる方向（帽体本体部１１を折畳む方向）に力を加えた場合を説明する。
【００６６】
折畳み式帽子用帽体１０の帽体本体部１１が展開状態であるときに、使用者が、係止解除用被押圧部１３を操作することなく、帽体本体部１１の前側平板１４と後側平板１５が平板状態になる方向、即ち、図３に示す力Ｐ４と力Ｐ５を帽体本体部１１の前側平板本体部１４ａｘ、後側平板本体部１５ａｘに押圧力を直接加えた場合、この力Ｐ４，Ｐ５は、帽体本体部１１の前側平板１４と後側平板１５とを平板形状にする力として作用する。この力Ｐ４，Ｐ５は、連結部１７の左側折曲げ傾斜部１７ｂと右側折曲げ傾斜部１７ｃとを離間させる方向の力として作用する。これにより、係止状態にある係止部２８と被係止部２０には、係止を解除する方向の力が働くことになる。また、このとき、係止用板状体２３は回動軸２６を中心に外側方向（図１５の矢印Ｍ１方向）に回動するので、係止部２８と被係止部２０との係止状態が解除されやすい状態となる。
【００６７】
そして、使用者が加えた力Ｐ４，Ｐ５が所定以上の大きさになった場合には、図１５に示す状態から図１４に示す状態となり、係止部２８と被係止部２０の係止状態は解除される。そして、図１３に示す状態、図１２に示す状態に移行し、帽体本体部１１は扁平状態となる。
【００６８】
即ち、この実施の形態においては、使用者が、係止解除用被押圧部１３の操作によらず、帽体本体部１１に直接折畳もうとした場合であっても、帽体本体部１１を展開状態から折畳んだ状態に形状を変化させることができる。
【００６９】
以上、この実施の形態においては、折畳み式帽子用帽体１０を、前側平板１４と、後側平板１５と、連結部１７と、ロック機構１２とを有する構成とすることにより、少ない部品点数で折畳み式帽子用帽体１０を構成できる。また、帽体本体部１１を展開状態に保持したロック状態とするロック機構１２が、帽体本体部１１の内部側方に一対の側方支持部２２ｙ,２２ｚを有する支持部材２１を備えたことにより、ロック機構１２を少ない部品点数で構成すると共に、側方支持部２２ｙ,２２ｚによって帽体本体部１１を支持することで、展開状態の折畳み式帽子用帽体１０全体の剛性を高め、外方から帽体本体部１１を押圧する押圧力に対する耐性を高めることができる。また、係止部２８と被係止部２０とが係止されると帽体本体部１１が展開状態となり、係止部２８と被係止部２０との係止が解除されると、帽体本体部１１が展開状態から扁平状態となるように構成されたことにより、帽体本体部１１の展開状態と扁平状態との間の形状変化を簡易な操作によって行わせることが可能となる。これにより、少ない部品点数で構成でき、展開状態における剛性を確保して人体頭部を強固に守ることができて、簡易な操作で形状を変化させることができる折畳み式帽子用帽体１０を提供することができる。
【００７０】
この実施の形態においては、支持部材２１が一対の側方支持部２２ｙ,２２ｚを有して展開状態の帽体本体部１１の内部側方を支持することにより、帽体本体部１１の外部側方からの押圧力に対して側方支持部２２ｙ,２２ｚが抗力を発揮して帽体本体部１１の変形を防ぐ。そのため、帽体本体部１１の外部側方からの圧力に対する耐性の強い折畳み式帽子用帽体１０を提供できる。
【００７１】
この実施の形態においては、ロック機構１２の支持部材２１は、側方支持部本体部２２ａｙ,２２ａｚを含めて帽体本体部１１の内部の一部に略沿った略アーチ状のフレーム形状に形成されたフレーム部材２２ａを有する支持部材本体部２２を備えたことにより、展開状態の帽体本体部１１の内部の一部に略沿って支持部材本体部２２を配設することができ、折畳み式帽子用帽体１０の一端部から頂部を経て他端部にわたって剛性を高めることが可能となる。これにより、少ない部品点数で構成でき、展開状態における剛性を確保して人体頭部を強固に守ることができる折畳み式帽子用帽体１０を提供することができる。
【００７２】
この実施の形態においては、側方支持部２２ｙ,２２ｚは、展開状態の帽体本体部１１の内部の一部に略沿って設けられる側方支持部本体部２２ａｙ，２２ａｚと、板状に形成されて側方支持部本体部２２ａｙ，２２ａｚに回動自在に軸支された係止用板状体２３とを備え、係止用板状体２３は、回動軸２６によって軸支された部分よりも下側に係止部２８と係止解除用被押圧部１３とが形成され、回動軸２６によって軸支された部分よりも上側に、帽体本体部１１が展開状態のときに連結部１７の内側に圧接される圧接部２７が設けられたことにより、係止部２８と被係止部２０とを小さい力で係止させたり係止を解除させたりすることができ、また、係止部２８と被係止部２０とが係止された状態を強固に確保することができる。
【００７３】
この実施の形態においては、係止部２８と被係止部２０との係止状態を、一方に形成された凸部と他方に形成された凹部との係止によって行わせることにより、係止部２８と被係止部２０とを簡易な構成として形成すると共に、係止部２８と被係止部２０とを確実に係止させることができる。これにより、帽体本体部１１を展開状態で安定させることができる。
【００７４】
この実施の形態においては、展開状態の帽体本体部１１に対して前側平板１４と後側平板１５とが扁平状態となる方向に押圧力が加わった場合、係止解除用被押圧部１３の操作によらずに係止部２８の被係止部２０への係止を解除することができる。これにより、帽体本体部１１を展開状態で安定させると共に、使用者が誤った操作をした場合であっても、折畳み式帽子用帽体１０や、この折畳み式帽子用帽体１０を用いた折畳み式帽子の安全な使用を確保することができる。
【００７５】
この実施の形態においては、帽体本体部１１を展開状態に保持したロック状態とするロック機構１２が、係止解除用被押圧部１３の所定の操作によりロック状態が解除されるように構成されると共に、展開状態の帽体本体部１１に対して前側平板１４の前側平板本体部１４ａｘと後側平板１５の後側平板本体部１５ａｘとを近接させて、前側平板１４と後側平板１５とが扁平状態となる方向に押圧力が加わった場合、係止部２８と被係止部２０との係止状態が解除され、係止解除用被押圧部１３の操作によらずにロック機構１２のロック状態が解除される構成とされたことにより、使用者が係止解除用被押圧部１３を操作せずに帽体本体部１１の前側平板１４と後側平板１５とが扁平状態となる方向に押圧する操作を行った場合であっても、ロック機構１２が解除されて帽体本体部１１を展開状態から扁平状態にすることができる。これにより、使用者が誤った操作をした場合であっても、折畳み式帽子用帽体１０や、この折畳み式帽子用帽体１０を用いた折畳み式帽子の安全な使用を確保することができる。
【００７６】
なお、この実施の形態においては、被係止部２０を帽体被押圧部１９と一体に形成する構成としたが、これに限定されることはなく、帽体被押圧部１９以外の帽体本体部１１の一部、例えば連結部１７と一体に構成することもできるし、帽体本体部１１の他の構成とは別体として構成することもできる。
【００７７】
この実施の形態においては、係止部２８を支持部材２１の下端部に、被係止部２０を帽体本体部１１側の帽体被押圧部１９の下端部にそれぞれ設ける構成としたが、これに限定されず、係止部２８や被係止部２０が、支持部材２１や帽体本体部１１の下端部以外の下部側のどのような位置に設けられていてもよい。また、係止部２８や被係止部２０が、支持部材２１や帽体本体部１１の上下方向の中央部分等に設けられる構成であってもよい。
【００７８】
この実施の形態においては、係止部２８を略凹部として、被係止部２０を略凹部として形成したが、これに限定されず、例えば係止部２８を略凸部として、被係止部２０を略凹部として形成してもよい。また、凹凸以外の形状や構成によって、係止部２８や被係止部２０を形成してもよい。
【００７９】
この実施の形態においては、支持部材２１が、略アーチ状の支持部材本体部２２のフレーム部材２２ａと、係止用板状体２３とを有し、の係止用板状体２３に設けた係止部２８が帽体本体部１１側の被係止部２０に係止されるロック機構１２を有する構成としたが、これに限定されず、例えば支持部材２１を用いずに、帽体本体部１１を展開状態に維持するロック状態とすると共に所定の操作によってロック状態を解除できるものであれば、どのような構成であってもよい。
【００８０】
この実施の形態においては、支持部材本体部２２が、水平状の上方支持部２２ａｘと、上方支持部２２ａｘの左右両側に連設された側方支持部２２ｙ,２２ｚとを有する構成としたが、これに限定されず、例えば、支持部材本体部２２が、上方支持部２２ａｘを有さずに、一対の側方支持部２２ｙ,２２ｚのみを有する構成であってもよい。
【００８１】
この実施の形態においては、帽体本体部１１は前側平板１４と後側平板１５とが連結部１７で連結され、前後方向に折畳まれる構成としたが、これに限らず、例えば、右側の板体と左側の板体とを連結して構成し、左右方向に折畳まれる構成であってもよい。また、このような帽体本体部１１の折畳み機構の構成に即し、支持部材本体部２２のフレーム部材２２ａを帽体本体部１１の前端側から頭頂部を経て後端側に配設し、帽体本体部１１の前後方向からの押圧力に対する耐性を高めることもできる。
【００８２】
この実施の形態においては、第一〜第四ヒンジ部１４ｂｘ,１４ｂｙ，１５ｂｘ，１５ｂｙで折畳まれて展開状態が形成される構成としたが、これに限定されず、例えば板状の部材全体が弾性変形して展開状態が形成されるもの等、展開状態と折畳まれた状態が形成される折畳み式帽子であればどのようなものでもよい。
【００８３】
この実施の形態においては、折畳み式帽子用帽体１０は防災用ヘルメット等の折畳み式帽子に用いられるものとしたが、これに限定されず、例えば工事用、スポーツ用、乗車用、警察用、消防用等各種用途用のヘルメット帽体等に用いる折畳み式帽子用帽体であってもよい。
【００８４】
上記実施の形態は本発明の例示であり、本発明が上記実施の形態に限定されることを意味するものではないことは、いうまでもない。
【符号の説明】
【００８５】
１０・・・折畳み式帽子用帽体
１１・・・帽体本体部
１２・・・ロック機構
１３・・・係止解除用被押圧部（ロック解除機構）
１４・・・前側平板
１５・・・後側平板
１７・・・連結部
２０・・・被係止部（ロック機構）
２１・・・支持部材（ロック機構）
２２・・・支持部材本体部
２２ｙ，２２ｚ・・・側方支持部（脚部）
２２ａｙ，２２ａｚ・・・側方支持部本体部（脚部本体部）
２３・・・係止用板状体（係止用部材）
２４・・・バックル保持部（保持部）
２７・・・圧接部
２８・・・係止部（ロック機構）
２９・・・バックル（取付部材）
【図１】
0006734593.tif 000002
【図２】
0006734593.tif 000003
【図３】
0006734593.tif 000004
【図４】
0006734593.tif 000005
【図５】
0006734593.tif 000006
【図６】
0006734593.tif 000007
【図７】
0006734593.tif 000008
【図８】
0006734593.tif 000009
【図９】
0006734593.tif 000010
【図１０】
0006734593.tif 000011
【図１１】
0006734593.tif 000012
【図１２】
0006734593.tif 000013
【図１３】
0006734593.tif 000014
【図１４】
0006734593.tif 000015
【図１５】
0006734593.tif 000016